(57)【要約】      （修正有）【課題】犬の洗浄作業を容易にでき、洗浄時間を短縮でき、洗浄される側の犬の負担も軽減することができる犬用シャワーヘッドを提供する。【解決手段】洗浄水を被洗浄物に吐出するシャワーヘッド１０であって、吐出孔へ連通する洗浄水の流通路と、流通路に設けられた洗浄水の排出孔と、排出孔よりも吐出孔側に設けられた流入孔とが設けられたシャワーヘッド本体１５と、シャワーヘッド本体に隣接して一対に設けられ、夫々に洗剤又は化粧剤のいずれかが収納される収納タンク１６，１７と、シャワーヘッド本体と収納タンクとの間に設けられ、シャワーヘッド本体の排出孔及び流入孔を開閉可能に被覆する開閉部材とを備え、開閉部材を操作することにより、排出孔を介して洗浄水を収納タンク内に流出させて洗浄水と洗剤又は化粧剤とを混合させると共に、洗剤又は化粧剤と混合された洗浄水を流入孔を介して流通路へ流入させて、吐出孔から被洗浄物へ吐出する。【選択図】図１
0003216162.tif 000002
【実用新案登録請求の範囲】
【請求項１】
洗浄水を被洗浄物に吐出するシャワーヘッドであって、
吐出孔へ連通する前記洗浄水の流通路と、前記流通路に設けられた前記洗浄水の排出孔と、前記排出孔よりも前記吐出孔側に設けられた流入孔とが設けられたシャワーヘッド本体と、前記シャワーヘッド本体に隣接して一対に設けられ、夫々に洗剤又は化粧剤のいずれかが収納される収納タンクと、前記シャワーヘッド本体と前記収納タンクとの間に設けられ、前記シャワーヘッド本体の前記排出孔及び流入孔を開閉可能に被覆する開閉部材とを備え、
前記開閉部材を操作することにより、前記排出孔を介して前記洗浄水を前記収納タンク内に流出させて前記洗浄水と前記洗剤又は前記化粧剤とを混合させると共に、前記洗剤又は前記化粧剤と混合された前記洗浄水を前記流入孔を介して前記流通路へ流入させて、前記吐出孔から被洗浄物へ吐出することを特徴とするシャワーヘッド。
【請求項２】
前記一対の収納タンクは、夫々、前記洗剤又は前記化粧剤のいずれか一方が収納され、前記シャワーヘッド本体の両側に夫々配設されていると共に、前記シャワーヘッド本体と前記一対の収納タンクとの間には、夫々、前記開閉部材が配設されていることを特徴とする請求項１記載のシャワーヘッド。
【請求項３】
前記流通路の前記吐出孔側の端部には前記流通路の一般部よりも径大に形成された負圧形成部が設けられていることを特徴とする請求項１記載のシャワーヘッド。
【請求項４】
前記一対の収納タンクと前記開閉部材との間には、前記排出孔から前記収納タンク内に流入した前記洗浄水と前記洗剤又は前記化粧剤との混合を助長する撹拌部材が設けられていることを特徴とする請求項１記載のシャワーヘッド。
【請求項５】
動物の洗浄に使用されることを特徴とする請求項１記載のシャワーヘッド。
【考案の詳細な説明】
【技術分野】
【０００１】
本考案は、洗浄水を被洗浄物に吐出するシャワーヘッドに関するものであって、動物、特には、被洗浄物として犬を洗浄するのに適したシャワーヘッドに関するものである。
【背景技術】
【０００２】
従来、犬を洗浄する際は、まず、犬にシャワーで水をかけ、続けて、シャンプーをしみ込ませたスポンジを用いて、シャンプーと水を混合させ、良く泡立たせながら犬の毛の根本まで注入した後、シャワーで洗い流し、今度は、リンスをしみ込ませたスポンジを用いて、リンスと水を混合させ、犬の毛の根本まで注入した後、水で洗い流すという一連の煩雑な洗浄作業を行い、そのうえで、ドライヤーで乾燥させる作業を行っていた。
【０００３】
この犬を洗浄する作業は、煩雑で時間を要するものであり、プロのトリマーでも、例えば、大型の犬を洗浄する場合は、乾燥前までの洗浄作業にも、およそ３０程度の時間を要しており、作業が煩雑で時間が長すぎるので、作業がより容易に行え、作業時間ももっと短縮させたいとの要請があった。
【０００４】
また、洗浄される側の犬にとっても、長時間動かない状態でいるのは、負担であった。
【０００５】
しかしながら、犬の洗浄時間を短縮することができる従来技術は見聞されない。
【０００６】
なお、例えば、特許文献１，２は、犬用の技術ではないが、いずれも、洗浄剤などの添加物を水に混合する技術であるものの、添加物を収納する収納タンクは１つしかないので、上記した犬の洗浄作業に利用しようとしても、いちいちシャンプー入りの収納タンクとリンス入りの収納タンクとを交換しなければならないなど、上記要請に応えることができるものではない。
【先行技術文献】
【特許文献】
【０００７】
【特許文献１】特開 ２００６−１５８６７３号公報
【特許文献２】特開 ２００３−２３５７５０号公報
【考案の概要】
【考案が解決しようとする課題】
【０００８】
本考案は、以上のような従来からの要請に応えるためのものであって、その課題は、犬の洗浄作業を容易にでき、洗浄時間を短縮でき、洗浄される側の犬の負担も軽減することができる犬用シャワーヘッドを提供することにある。
【課題を解決するための手段】
【０００９】
前記課題を解決するために、請求項１記載の考案にあっては、洗浄水を被洗浄物に吐出するシャワーヘッドであって、吐出孔へ連通する前記洗浄水の流通路と、前記流通路に設けられた前記洗浄水の排出孔と、前記排出孔よりも前記吐出孔側に設けられた流入孔とが設けられたシャワーヘッド本体と、前記シャワーヘッド本体に隣接して一対に設けられ、夫々に洗剤又は化粧剤のいずれかが収納される収納タンクと、前記シャワーヘッド本体と前記収納タンクとの間に設けられ、前記シャワーヘッド本体の前記排出孔及び流入孔を開閉可能に被覆する開閉部材とを備え、前記開閉部材を操作することにより、前記排出孔を介して前記洗浄水を前記収納タンク内に流出させて前記洗浄水と前記洗剤又は前記化粧剤とを混合させると共に、前記洗剤又は前記化粧剤と混合された前記洗浄水を前記流入孔を介して前記流通路へ流入させて、前記吐出孔から被洗浄物へ吐出することを特徴とする。
【００１０】
従って、請求項１記載の考案にあっては、前記一対の収納タンクに、一方に前記洗剤としてのシャンプーを収納し、他方に前記化粧剤としてのリンスを収納すれば、前記開閉部材を操作することにより、前記流通路の前記吐出孔側の端部から、シャンプーと前記洗浄水との混合液、リンスと前記洗浄水との混合液、及び前記洗浄液を、吐出させることができる。
【００１１】
請求項２記載の考案にあっては、前記一対の収納タンクは、夫々、前記洗剤又は前記化粧剤のいずれか一方が収納され、前記シャワーヘッド本体の両側に夫々配設されていると共に、前記シャワーヘッド本体と前記一対の収納タンクとの間には、夫々、前記開閉部材が配設されていることを特徴とする。
【００１２】
従って、請求項２記載の考案にあっては、前記２つの開閉部材を夫々操作することにより、一方の収納タンクからは前記洗浄水と前記洗剤としてのシャンプーの混合液、他方の収納タンクからは前記洗浄水と前記化粧剤としてのリンスとの混合液を、又は前記洗浄水のみを、選択的に前記吐出孔から吐出することができる。
【００１３】
請求項３記載の考案にあっては、前記流通路の前記吐出孔側の端部には前記流通路の一般部よりも径大に形成された負圧形成部が設けられていることを特徴とする。
【００１４】
従って、請求項３記載の考案にあっては、前記流入孔から前記流通路へ流入した前記洗浄水と前記洗剤又は前記化粧剤の混合液は、前記負圧形成部において負圧が形成されていることから、前記吐出孔の方向へ負圧により吸引され、加速された状態で前記吐出口から勢いをもって吐出される。
【００１５】
請求項４記載の考案にあっては、前記一対の収納タンクと前記開閉部材との間には、前記排出孔から前記収納タンク内に流入した前記洗浄水と前記洗剤又は前記化粧剤との混合を助長する撹拌部材が設けられていることを特徴とする。
【００１６】
従って、請求項４記載の考案にあっては、前記排出孔から前記収納タンク内に排出されてきた前記洗浄水は、前記攪拌部材の働きにより、前記洗剤又は前記化粧剤とより良く混合されてから前記流入孔から前記流通路の前記吐出孔側へ流入する。
【００１７】
請求項５記載の考案にあっては、動物の洗浄に使用されることを特徴とする。
【００１８】
従って、請求項５記載の考案にあっては、洗浄作業を短時間で行えるため、ペットなどの飼育される動物、例えば犬などのペットの洗浄作業に向いている。
【考案の効果】
【００１９】
請求項１記載のシャワーヘッドにあっては、吐出孔へ連通する前記洗浄水の流通路と、前記流通路に設けられた前記洗浄水の排出孔と、前記排出孔よりも前記吐出孔側に設けられた流入孔とが設けられたシャワーヘッド本体と、前記シャワーヘッド本体に隣接して一対に設けられ、夫々に洗剤又は化粧剤のいずれかが収納される収納タンクと、前記シャワーヘッド本体と前記収納タンクとの間に設けられ、前記シャワーヘッド本体の前記排出孔及び流入孔を開閉可能に被覆する開閉部材とを備え、前記開閉部材を操作することにより、前記排出孔を介して前記洗浄水を前記収納タンク内に流出させて前記洗浄水と前記洗剤又は前記化粧剤とを混合させると共に、前記洗剤又は前記化粧剤と混合された前記洗浄水を前記流入孔を介して前記流通路へ流入させて、前記吐出孔から被洗浄物へ吐出する。
【００２０】
請求項１記載の考案にあっては、前記一対の収納タンクに、一方に前記洗剤としてのシャンプーを収納し、他方に前記化粧剤としてのリンスを収納すれば、前記開閉部材を操作することにより、前記流通路の前記吐出孔側の端部から、シャンプーと前記洗浄水との混合液、リンスと前記洗浄水との混合液、及び前記洗浄液を、吐出させることができる。
【００２１】
その結果、犬の洗浄作業を容易にでき、洗浄時間を短縮でき、洗浄される側の犬の負担も軽減することができる犬用シャワーヘッドを提供することができる。
【００２２】
具体的には、プロのトリマーでも、例えば、大型の犬を洗浄する場合は、従来では、洗浄作業に、およそ３０分程度の時間を要していたのを、約半分のおよそ１５分程度の時間で済み、洗浄作業効率を大幅に改善することができ、単純計算すると、およそ２倍の仕事をこなすことができる。
【００２３】
請求項２記載のシャワーヘッドにあっては、前記シャワーヘッド本体の両側には、前記開閉部材を夫々介して前記一対の収納タンクが夫々配設されていることから、前記２つの開閉部材を夫々操作することにより、一方の収納タンクからは前記洗浄水と前記洗剤としてのシャンプーとの混合液を、他方の収納タンクからは前記洗浄水と前記化粧剤としてのリンスとの混合液を、又は前記洗浄水のみを、選択的に前記吐出孔から吐出することができるので、操作性が良く、より短時間で洗浄作業を行うことができる。
【００２４】
請求項３記載のシャワーヘッドにあっては、前記流通路の前記吐出孔側の端部には前記流通路の一般部よりも径大に形成された負圧形成部が設けられていることから、前記流入孔から前記流通路へ流入した前記洗浄水と前記洗剤又は前記化粧剤の混合液は、前記負圧形成部において負圧が形成されていることから、前記吐出孔の方向へ負圧により吸引され、加速された状態で前記吐出口から勢いをもって吐出されるので、例えば犬を洗浄する際には、前記混合液を、犬の毛の根本まで容易に注入することができる。
【００２５】
請求項４記載のシャワーヘッドにあっては、前記一対の収納タンクと前記開閉部材との間には、前記排出孔から前記収納タンク内に流入した前記洗浄水と前記洗剤又は前記化粧剤との混合を助長する撹拌部材が設けられていることから、前記排出孔から前記収納タンク内に排出されてきた前記洗浄水は、前記攪拌部材の働きにより、前記洗剤又は前記化粧剤とより良く混合されてから前記流入孔から前記流通路の前記吐出孔側へ流入するので、より充分に攪拌された前記混合液を用いて洗浄作業を行うことができる。
【００２６】
請求項５記載のシャワーヘッドにあっては、動物の洗浄に使用されることから、洗浄作業を短時間で行えるため、ペットなどの飼育される動物、例えば犬などのペットの洗浄作業に向いている。
すなわち、上記したように、犬の洗浄作業を容易にでき、洗浄時間を短縮でき、洗浄される側の犬の負担も軽減することができ、具体的には、プロのトリマーならば、単純計算すると、約２倍の仕事をこなすことができる。
【図面の簡単な説明】
【００２７】
【図１】図１は、本考案に係るシャワーヘッドの一実施形態の概略構成を吐出孔側から示す側面図である。
【図２】図２は、本考案に係るシャワーヘッドの一実施形態の分解斜視図である。
【図３】図３は、本考案に係るシャワーヘッドの一実施形態において、シャワーヘッド本体の内部構造の概略構成を示す縦断面図である。
【図４】図４は、本考案に係るシャワーヘッドの一実施形態の使用状態を示す斜視図である。
【考案を実施するための形態】
【００２８】
以下、本考案に係るシャワーヘッドを、一実施形態に基づき、図面を参照して説明する。
【００２９】
先ず、実施形態の構成について説明する。
図１〜図４は、本考案に係る実施形態のシャワーヘッド１０を説明するための図である。
【００３０】
この実施形態のシャワーヘッド１０は、洗浄液を被洗浄物としての動物に吐出して使用されるシャワーヘッドである。
【００３１】
そして、図１〜図３に示すように、シャワーヘッド１０は、吐出孔２９へ連通する洗浄水の流通路１２と、流通路１２に設けられた洗浄水の排出孔１３，１３と、排出孔１３，１３よりも吐出孔２９側に設けられた流入孔１４，１４とが設けられたシャワーヘッド本体１５と、シャワーヘッド本体１５に隣接して一対に設けられ、夫々に洗剤としてのシャンプー又は化粧剤としてのリンスのいずれかが収納される収納タンク１６，１７と、シャワーヘッド本体１５と収納タンク１６，１７との間に設けられ、シャワーヘッド本体１５の排出孔１３，１３及び流入孔１４，１４を開閉可能に被覆する開閉部材１８，１９とを備えている。
【００３２】
さらに、開閉部材１８，１９を、その上部に夫々設けられたツマミ部１８ａ，１９ａを介して操作することにより、排出孔１３，１３を介して洗浄水を収納タンク１６内又は収納タンク１７内に流出させて洗浄水と洗剤としてのシャンプー又は化粧剤としてのリンスとを混合させると共に、洗剤としてのシャンプー又は化粧剤としてのリンスと混合された洗浄水を流入孔１４，１４を介して流通路１２へ流入させて、吐出孔２９から被洗浄物としての犬等の動物へ吐出する構成とされている。
【００３３】
より具体的には、シャワーヘッド本体１５は、側面略台形板状に形成されたヘッド部４２と、ヘッド部４２の後方側下端部に斜め下方に向かって延出するように接続固定され、端部にホース接続部２７を有するホース固定筒部２６とを備えている。
【００３４】
ヘッド部４２の前端部には、外側周面部にネジ部４３が刻設され、吐出孔２９を有するノズル部２８が突設されており、ヘッド部４２内に、吐出孔２９へ連通する洗浄水の流通路１２と、流通路１２に設けられた洗浄水の排出孔１３，１３と、排出孔１３，１３よりも吐出孔２９側に設けられた流入孔１４，１４とが設けられている。
【００３５】
流通路１２は、ヘッド部４２の中央部に貫通方向に設けられており、後端部側においてホース固定筒部２６に連通する洗浄水流入路２５と斜めに交差して配設されている。図３に示すように、流通路１２の吐出孔２９側の端部には流通路１２の一般部よりも径大に形成された短円筒空隙状の負圧形成部２０が設けられている。
【００３６】
また、洗剤としてのシャンプー又は化粧剤としてのリンスが収納されるカップ状の収納タンク１６及び収納タンク１７が、ヘッド部４２の両側に夫々配設されている。
【００３７】
ヘッド部４２の厚さ方向両側部には、排出孔１３，１３及び流入孔１４，１４を開閉操作する開閉部材１８，１９が、夫々、隣接して配設されている。開閉部材１８，１９は薄型円盤状部材であって、本体部３７，３７と、本体部３７，３７の周縁上半部に延設された円弧状の摺動ガイド部３８，３８とを有しており、摺動ガイド部３８，３８の上端部にはツマミ部１８ａ，１９ａが突出形成されている。
【００３８】
本体部３７，３７には流入孔１４，１４及び排出孔１３，１３に連通しうるように配設された通孔２１，２１が開設されており、ツマミ部１８ａ，１９ａを適宜操作して、開閉部材１８，１９を回動操作することにより、流入孔１４，１４及び排出孔１３，１３の開閉操作を行うことができるように構成されている。
【００３９】
また、開閉部材１８，１９の外側には、開閉部材１８，１９の通孔２１，２１と連通する通孔２２，２２が形成された薄型円筒状の収納タンク固定部材２３，２３が夫々配置されており、収納タンク固定部材２３，２３はヘッド部４２に取り付け固定されている。
【００４０】
さらに、図１及び図２に示すように、収納タンク固定部材２３，２３の外側面には、排出孔１３，１３から収納タンク１６，１７内に流入した洗浄水と洗剤としてのシャンプーとの混合、及び洗浄水と化粧剤としてのリンスとの混合を助長する排出孔１３，１３から排水される洗浄水が当たる位置にその洗浄水の排水方向より偏心した面を有するフィン状の撹拌部材２４，２４が夫々固定して設けられている。
【００４１】
収納タンク１６，１７は透明な合成樹脂製であって、底部に開口部１６ａ，１７ａが形成された截頭円錐台形状に形成され、内部に収納されたシャンプー又はリンスの残量が外部から視認できるように形成されている。
【００４２】
開閉部材１８，１９及び収納タンク固定部材２３は一対のカバー部材３０，３０により被覆されてシャワーヘッド本体１５に取り付けられており、カバー部材３０，３０は開閉部材１８，１９及び収納タンク固定部材２３を含めてシャワーヘッド本体１５の両側面部を被覆するように配置される。
【００４３】
カバー部材３０，３０は、ヘッド部被覆部３０ａ，３０ａと、グリップカバー部３０ｂ，３０ｂとからなり、ヘッド被覆部３０ａ，３０ａには開口部３０ｃ，３０ｃが形成されており、開口部３０ｃ，３０ｃの周縁部には固定縁部３４，３４，３４及び切欠部３５，３５，３５が夫々形成され、収納タンク１６，１７は開口部３０ｃ，３０ｃ内に挿入されて収納タンク固定部材２３，２３に固定されている。
【００４４】
ヘッド部被覆部３０ａ，３０ａの上半部には、装着した場合に、開閉部材１８，１９のツマミ部１８ａ，１９ａが内部に配置されてスライドする円弧状空隙部３０ｄ，３０ｄが開設されている。
【００４５】
図４に示すように、カバー部材３０，３０がシャワーヘッド本体１５を両側から被覆することにより、グリップカバー部３０ｂ，３０ｂが、ユーザーが使用する際のグリップ部３９を構成する。
【００４６】
収納タンク１６，１７は、開口部１６ａ，１７ａの縁部に、この開口部１６ａ，１７ａの周方向に等間隔で３つのリップ部３３，３３，３３が設けられており、カバー材３０，３０の対応する位置には、これらリップ部３３，３３，３３を固定するための固定縁部３４，３４，３４と、これらリップ部３３，３３，３３を固定縁部３４，３４，３４に嵌め込むための切欠部３５，３５，３５とが設けられており、収納タンク１６，１７は回転動作によりヘッド被覆部３０ａ，３０ａに対して着脱可能に構成されている。
【００４７】
ノズル部２８にはシャワー形成部材１１が装着されている。シャワー形成部材１１は全体円盤状であって、短円筒状のシャワー口部３１と、シャワー口部３１の外周に固定されたリング状のシール材３２とからなり、シャワー口部３１がノズル部２８のネジ部４３を介してノズル部２８にねじ込み固定されている。
【００４８】
そして、図示省略の水道の元栓に接続されたホース３６の端部をホース接続部２７に接続し、図４に示したように、カバー材３０，３０のグリップ部３９を手４０で握り、人差し指４１で、ツマミ部１８ａ，１９ａを操作して洗浄作業を行える構成となっている。
【００４９】
なお、この実施形態のシャワーヘッド１０では、ツマミ部１８ａ，１９ａを吐出孔２９側へスライドさせると、収納タンク１６，１７内の混合液が吐出孔２９を介してシャワー形成部材１１から吐出されるアンロック状態となり、反対側へスライドさせると、収納タンク１６，１７内の混合液がシャワー形成部材１１から吐出されないロック状態となる。
【００５０】
次に、この実施形態の作用効果について説明する。
【００５１】
本考案の実施形態のシャワーヘッド１０によれば、図１〜図４に示すように、一対の収納タンク１６，１７に、一方に前記洗剤としてのシャンプーを収納し、他方に前記化粧剤としてのリンスを収納したうえで、図示省略のホース３６が接続される図示省略の水道の元栓のハンドルを回し開状態とすれば、開閉部材１８，１９を操作することにより、流通路１２の吐出孔２９側の端部から、シャンプーと洗浄水との混合液、リンスと洗浄水との混合液を、吐出させることができる。
【００５２】
なお、本実施形態のシャワーヘッド１０は、プロのトリマー用にあえて、シャワーヘッド本体１５自体には止水機能を持たせておらず、作業を完全に終わらせるときは、水道の元栓のハンドルを回して止水するように構成されている。
【００５３】
また、シャワーヘッド本体１５の両側には、開閉部材１８，１９を夫々介して一対の収納タンク１６，１７が夫々配設されていることから、２つの開閉部材１８，１９を夫々操作することにより、一方の収納タンク１６からは洗浄水と洗剤としてのシャンプーとの混合液を、他方の収納タンク１７からは洗浄水と化粧剤としてのリンスとの混合液を、又は洗浄水のみを、選択的に吐出孔２９から吐出することができるので、操作性が良く、より短時間で洗浄作業を行うことができる。
【００５４】
さらに、流通路１２の吐出孔２９側の端部には流通路１２の一般部よりも径大に形成された負圧形成部２０が設けられていることから、流入孔１４から流通路１２へ流入した洗浄水と洗剤としてのシャンプー又は化粧剤としてのリンスの混合液は、負圧形成部２０において負圧が形成されていることから、吐出孔２９の方向へ負圧により吸引され、加速された状態で吐出口２９から勢いをもって吐出されるので、犬を洗浄する際には、これら混合液を、犬の毛の根本まで容易に注入することができる。
【００５５】
また、一対の収納タンク１６，１７と開閉部材１８，１９との間には、排出孔１３から収納タンク１６，１７内に流入した洗浄水と洗剤としてのシャンプー又は化粧剤としてのリンスとの混合を助長する撹拌部材２４が設けられていることから、排出孔１３から収納タンク１６，１７内に排出されてきた洗浄水は、攪拌部材２４の働きにより、洗剤としてのシャンプー又は化粧剤としてのリンスとより良く混合されてから流入孔１４から流通路１２の吐出孔２９側へ流入するので、より充分に攪拌された混合液を用いて洗浄作業を行うことができる。
【００５６】
その結果、犬の洗浄作業を容易にできると共に洗浄時間を短縮でき、洗浄される側の犬の負担も軽減することができる犬用シャワーヘッドを提供することができる。
【００５７】
具体的には、プロのトリマーでも、例えば、大型の犬を洗浄する場合は、従来では、洗浄作業に、およそ３０分程度の時間を要していたが、本実施形態に係るシャワーヘッド１０を用いることにより、約半分のおよそ１５分程度の時間で済み、単純計算すると、およそ２倍の仕事をこなすことができる。
【００５８】
なお、収納タンク１６，１７に収納されるシャンプーやリンスの量は、大型の犬で、内部容量の１０％程度でよい。
【００５９】
また、湯で洗浄作業を行いたい場合は、図示省略の水道の元栓を、湯が出る側に接続すればよい。
【００６０】
さらに、一対の収納タンク１６，１７は、着脱可能なことから、収納タンク１６，１７を開口部１６ａ，１７ａを上向きにして置いておくことができるので、例えば、プロのトリマーが洗浄作業を行っており、順番待ちしている場合などには、予備の収納タンク１６，１７内に、次に洗浄作業を行う犬の大きさに合わせた量のシャンプーやリンスを収納して置いておけば、次の洗浄作業もより段取りよく行うことができる。
【００６１】
以上、本考案に係るシャワーヘッドの実施形態について図面を参照して詳述してきたが、具体的な構成は、この実施形態に限らず、本考案の要旨を逸脱しない程度の設計的変更は、本考案に含まれる。
【００６２】
例えば、上記した実施形態では、犬を洗浄するためのシャワーヘッドとしたが、これに限定されず、その他ペットとして飼育する動物などに実施してもよい。
【００６３】
また、上記した実施形態では、収納タンク１６，１７に収納する物として、洗剤としてのシャンプーと化粧剤としてのリンスを用いたが、これに限定されず、シャンプーに予めリンスが入ったリンスインシャンプーなどを用いて実施してもよい。
【産業上の利用可能性】
【００６４】
本考案に係るシャワーヘッドは、例えば、プロのトリマーをはじめ、被洗浄物としての犬などの動物を洗浄する作業を行う多くの人が購入して使用することができるので、産業上の利用可能性を有している。
【符号の説明】
【００６５】
１０    シャワーヘッド
１１    シャワー形成部材
１２    流通路
１３    排出孔
１４    流入孔
１５    シャワーヘッド本体
１６    収納タンク
１６ａ  開口部
１７    収納タンク
１７ａ  開口部
１８    開閉部材
１８ａ  ツマミ部
１９    開閉部材
１９ａ  ツマミ部
２０    負圧形成部
２１    通孔
２２    通孔
２３    収納タンク固定部材
２４    撹拌部材
２５    洗浄水流入路
２６    ホース固定筒部
２７    ホース接続部
２８    ノズル部
２９    吐出孔    
３０    カバー部材
３０ａ  ヘッド部被覆部
３０ｂ  グリップカバー部
３０ｃ  開口部
３０ｄ  円弧状空隙部
３１    シャワー口部
３２    シール材
３３    リップ部
３４    固定縁部
３５    切欠部
３６    ホース
３７    本体部
３８    摺動ガイド部
３９    グリップ部
４０    手
４１    人差し指
４２    ヘッド部
４３    ネジ部
【図１】
0003216162.tif 000003
【図２】
0003216162.tif 000004
【図３】
0003216162.tif 000005
【図４】
0003216162.tif 000006